(57)【要約】【課題】  光ビームスポットに生じる収差を所望のレベルにまで低減可能な対物レンズ駆動装置を提供する。【解決手段】  対物レンズ１０１は、レンズホルダ１０２に装着されている。レンズホルダ２は、６本の支持部材１１０によって固定ブロック１１１に片持ち支持される。レンズホルダ１０２には、対物レンズ１０１の裏面側に、コマ収差を補正するための液晶素子と非点収差を補正するための液晶素子とを含む液晶素子１０６と、その液晶素子１０６を駆動するドライバＩＣ１０７とが装着される。【選択図】    図１
2005353208.tif 000002
【特許請求の範囲】
【請求項１】
光源からの光を光ディスク媒体上に集光させる対物レンズ、及び、該対物レンズを所定方向に駆動する駆動コイルを有する可動部と、該可動部を固定部との間で移動可能に支持する弾性支持部材とを備える対物レンズ駆動装置において、
前記可動部が、前記対物レンズから出射される光ビームの収差を補正する液晶素子と、該液晶素子を駆動する液晶駆動回路とを備えることを特徴とする対物レンズ駆動装置。
【請求項２】
前記弾性支持部材が導電性を有しており、前記液晶駆動回路は、前記弾性支持部材を介して制御データ信号を受信し、該受信した制御データ信号に基づいて前記液晶素子を駆動することを特徴とする、請求項１に記載の対物レンズ駆動装置。
【請求項３】
前記制御データ信号が、シリアルデータ形式のデータ信号であることを特徴とする、請求項２に記載の対物レンズ駆動装置。
【請求項４】
前記制御データ信号が、前駆駆動コイルを駆動する駆動コイル制御信号に重畳されることを特徴とする、請求項３に記載の対物レンズ駆動装置。
【請求項５】
前記液晶素子が、前記液晶駆動回路によって互いに独立に制御可能な複数のセグメントを有することを特徴とする、請求項１〜４の何れか一に記載の対物レンズ駆動装置。
【請求項６】
前記液晶駆動回路が、前記液晶素子のガラス基板上に形成されていることを特徴とする、請求項１〜５の何れか一に記載の対物レンズ駆動装置。
【請求項７】
前記液晶素子は、前記液晶駆動回路によって互いに独立に制御可能な複数の液晶素子を含むことを特徴とする、請求項１〜６の何れか一に記載の対物レンズ駆動装置。
【請求項８】
前記駆動コイルが、対物レンズを光軸方向に駆動するフォーカシングコイルと、対物レンズを光軸とほぼ直交するトラッキング方向に駆動するトラッキングコイルとを含み、前記複数の液晶素子は、球面収差を補正する液晶素子、非点収差を補正する液晶素子、及び、コマ収差を補正する液晶素子の少なくとも２つを含むことを特徴とする、請求項７に記載の対物レンズ駆動装置。
【請求項９】
前記駆動コイルが、対物レンズを光軸方向に駆動するフォーカシングコイルと、対物レンズを光軸とほぼ直交するトラッキング方向に駆動するトラッキングコイルと、前記対物レンズをラジアルチルト方向に駆動するラジアルチルト駆動コイルとを含み、前記複数の液晶素子が、球面収差を補正する液晶素子及び非点収差を補正する液晶素子を含むことを特徴とする、請求項７に記載の対物レンズ駆動装置。
【請求項１０】
請求項１〜９の何れか一に記載の対物レンズ駆動装置を備えることを特徴とする光学ヘッド装置。
【発明の詳細な説明】
【技術分野】
【０００１】
本発明は、対物レンズ駆動装置及び光学ヘッド装置に関し、更に詳しくは、対物レンズから出射される光ビームスポットの収差を補正する対物レンズ駆動装置、及び、そのような対物レンズ駆動装置を有する光学ヘッド装置に関する。
【背景技術】
【０００２】
光ディスク装置は、光ディスク媒体に光学的に情報を記録・再生し、例えば、家庭用光ディスクレコーダーに用いられ、或いは、コンピュータシステムの補助記憶装置として用いられる。近年、光ディスク装置には、より高速な記憶・再生性能が求められる傾向にあり、また、記録密度の向上による大容量化に対する要求が高まっている。光ディスク媒体の記録容量の大容量化には、光ビームスポットの小型化が必要であり、レーザー波長の短波長化や、光ビームスポットを照射する対物レンズの開口数ＮＡの拡大が必要となる。
【０００３】
ところで、最近では、光ディスク媒体の一般化に伴い、市場に光ディスク媒体が広く出回るようになっており、中には、ディスク厚みが所定の規格値を超えるような品質の粗悪な光ディスク媒体も出回るようになってきている。このような規格値を超える厚みを有する光ディスク媒体では、光ディスク媒体の記録面に形成する光ビームスポットに球面収差が生じ、記録・再生特性が悪化することが知られている。また、光ディスク媒体に反りが生じているような場合には、その反りに起因したディスク傾きによって光軸に傾きが生じることで、光ビームスポットにコマ収差が生じ、この場合にも、記録・再生特性が悪化することが知られている。
【０００４】
光ディスク媒体の大容量化に伴い、上記したような光ビームスポットに生じる球面収差、非点収差、又は、コマ収差等の各種の収差による記録・再生特性の悪化が無視できない状況にある。大容量化した光ディスク媒体を記録・再生する光ディスク装置では、光ビームスポットの品質が重要な要素となり、光ディスク装置の光学ヘッドには、記録・再生特性の悪化を抑制するために、各種の収差を低減できる機能が必要となる。
【０００５】
光ディスク装置において、光ビームスポットの収差を低減できる機能を備えた光学ヘッドに関する技術としては、特許文献１に記載された技術がある。図１０は、特許文献１に記載された光学ヘッドの構成を示している。対物レンズ２２０は、２軸アクチュエータ２１６によってフォーカシング方向及びトラッキング方向に駆動可能に構成され、光ディスク媒体２１１の記録面に光ビームスポットを照射する。対物レンズ２２０とレーザー光源との間には、光ビームの進行方法に駆動可能な一軸アクチュエータ２２１が設けられ、その一軸アクチュエータ２２１によって、球面収差補正用光学素子２０１を駆動することにより、収差が補正される。しかし、この技術では、光学ヘッド２００内に一軸アクチュエータ２２１を搭載する必要があり、光学ヘッドの小型化が難しいという問題がある。
【０００６】
光学ヘッドの小型化を可能にしつつ、収差を補正可能な技術としては、特許文献２に記載された技術がある。図１１は、特許文献２に記載された対物レンズ駆動装置を斜視図で示しており、図１２は、対物レンズ駆動装置の駆動回路を示している。対物レンズ３０１は、レンズホルダ３０２に装着される。レンズホルダ３０２は、対物レンズ３０１の裏面側に液晶素子３０７を収容している。液晶素子３０７は、対物レンズ３０２に入射する光ビームを補正し、収差を低減する。この技術では、液晶素子３０７がレンズホルダ３０２と一体となって駆動され、対物レンズ３０１の光軸と、液晶素子３０７の光軸との間にズレが生じないため、対物レンズ３０１がトラッキング方向へ移動した場合でも、収差補正能力は低下しない。
【０００７】
レンズホルダ３０２は、それぞれ導電性を有する４本のワイヤー（支持部材）３０３ａ〜３０３ｄによって、チルトセンサ３１３を有するワイヤーホルダ３１１に片持ち支持されている。レンズホルダ３０２には、フォーカシングコイル３０４及びトラッキングコイル３０５が巻き付けられている。フォーカシングコイル３０４及びトラッキングコイル３０５には、レンズホルダ３０２の外部に配置されたフォーカシング制御回路３１６及びトラッキング制御回路３１７から、ワイヤー３０３を介して、それぞれフォーカシング制御信号及びトラッキング制御信号が入力される。レンズホルダ３０２は、可動部を構成し、フォーカシング方向及びトラッキング方向に駆動可能に構成される。
【０００８】
液晶素子３０７は、液晶層と、液晶層を挟み込む一対のガラス基板とを有する。図１２に示すように、液晶素子３０７では、一対のガラス基板の一方には、コマ収差を補正するためにパターニングされた複数の電極（３０７ａ〜３０７ｅ）が形成され、他方には対向電極（３０７ｆ）が形成されている。液晶素子３０７は、レンズホルダ３０２の外部に配置された液晶制御回路３１８から、液晶駆動信号を入力し、各電極３０７ａ〜３０７ｅ及び３０７ｆに印加される電圧が制御される。特許文献２では、フォーカシング制御信号及びトラッキング制御信号に、液晶駆動信号を重畳させており、４本のワイヤー３０３ａ〜３０３ｄによって、フォーカシングコイル３０４、トラッキングコイル３０５、及び、液晶素子３０７を駆動している。
【特許文献１】特開２０００−１３１６０３号公報（図１０）
【特許文献２】特開２００１−２６６３９４号公報（図１、図２、図７）
【発明の開示】
【発明が解決しようとする課題】
【０００９】
しかしながら、特許文献２に記載の技術では、液晶素子３０７のガラス基板上の電極３０７ａ〜３０７ｂに、抵抗素子３０７ｉ〜３０７ｋによる傾斜電位しか印加できないため、収差の補正が十分ではなかった。また、レンズホルダ３０２内に収容される液晶素子３０７は、各収差のうちの１つに対応した電極パターンを有する液晶素子のみであり、例えば液晶素子３０７がコマ収差を補正するための液晶素子であれば、球面収差や非点収差を補正することはできない。
【００１０】
ここで、相互に異なる収差をそれぞれ補正するための液晶素子をレンズホルダ３０２内に収容する場合には、より具体的には、例えば球面収差を補正するための液晶素子と、コマ収差を補正するための液晶素子とをレンズホルダ３０２内に収容する場合には、双方の収差の補正が可能となる。しかし、この場合には、レンズホルダ３０２内の２つの液晶素子に、各液晶素子をそれぞれ駆動するための液晶駆動信号を入力する必要があることから、必要なワイヤー３０２の数が増加するという問題が発生する。
【００１１】
本発明は、上記従来技術の問題点を解消し、可動部を支持する支持部材を増加させることなく、光ビームスポットに残留する収差を所望のレベルにまで低減可能な対物レンズ駆動装置、及び、そのような対物レンズ駆動装置を有する光学ヘッド装置を提供することを目的とする。
【００１２】
また、本発明は、上記目的を達成した上で、光ビームスポットに残留する複数種類の収差を、それぞれ所望のレベルにまで低減可能な対物レンズ駆動装置、及び、そのような対物レンズ駆動装置を有する光学ヘッド装置を提供することを目的とする。
【課題を解決するための手段】
【００１３】
上記目的を達成するために、本発明の対物レンズ駆動装置は、光源からの光を光ディスク媒体上に集光させる対物レンズ、及び、該対物レンズを所定方向に駆動する駆動コイルを有する可動部と、該可動部を固定部との間で移動可能に支持する弾性支持部材とを備える対物レンズ駆動装置において、前記可動部が、前記対物レンズから出射される光ビームの収差を補正する液晶素子と、該液晶素子を駆動する液晶駆動回路とを備えることを特徴とする。
【００１４】
本発明の対物レンズ駆動装置では、可動部に搭載された液晶素子によって収差を補正でき、光ビームスポットの品質を向上することができる。一般に、液晶素子に複数の制御対象があるとき、より具体的には液晶素子に複数のセグメントが形成され、或いは、液晶素子が複数の液晶素子を含むときには、液晶素子と液晶駆動回路との間には複数の配線が必要である。本発明では、液晶駆動回路を液晶素子と共に可動部に搭載する構成を採用することにより、液晶素子と液晶駆動回路との間の配線が可動部内に配線されるため、液晶駆動回路を固定部に搭載する場合に比して、可動部と固定部との間の配線数の増加を抑えることができる。
【００１５】
本発明の対物レンズ駆動装置では、前記弾性支持部材が導電性を有しており、前記液晶駆動回路は、前記弾性支持部材を介して制御データ信号を受信し、該受信した制御データ信号に基づいて前記液晶素子を駆動する構成を採用できる。制御データ信号としては、シリアルデータ形式のデータ信号を採用することができる。
【００１６】
本発明の対物レンズ駆動装置では、前記制御データ信号が、前駆駆動コイルを駆動する駆動コイル制御信号に重畳されることが好ましい。この場合、固定部分と可動部分との間の配線数の増加を抑えながら、液晶駆動装置に制御データ信号を入力することができる。
【００１７】
本発明の対物レンズ駆動装置では、前記液晶素子が、前記液晶駆動回路によって、互いに独立に制御可能な複数のセグメントを有することが好ましい。この場合、液晶素子によって、収差が精度よく補正できる。
【００１８】
本発明の対物レンズ駆動装置では、前記液晶駆動回路が、前記液晶素子のガラス基板上に形成される構成を採用できる。
【００１９】
本発明の対物レンズ駆動装置では、前記液晶素子が、前記液晶駆動回路によって、互いに独立に制御可能な複数の液晶素子を含むことが好ましい。この場合、複数の液晶素子によって、複数種類の収差を補正可能である。
【００２０】
本発明の対物レンズ駆動装置では、前記駆動コイルが、対物レンズを光軸方向に駆動するフォーカシングコイルと、対物レンズを光軸とほぼ直交するトラッキング方向に駆動するトラッキングコイルとを含み、前記複数の液晶素子は、球面収差を補正する液晶素子、非点収差を補正する液晶素子、及び、コマ収差を補正する液晶素子の少なくとも２つを含む構成を採用できる。例えば可動部が、球面収差を補正する液晶素子、非点収差を補正する液晶素子、及び、コマ収差を補正する液晶素子の３つの液晶素子を有する場合には、これら収差がそれぞれ補正可能である。
【００２１】
本発明の対物レンズ駆動装置では、前記駆動コイルが、対物レンズを光軸方向に駆動するフォーカシングコイルと、対物レンズを光軸とほぼ直交するトラッキング方向に駆動するトラッキングコイルと、前記対物レンズをラジアルチルト方向に駆動するラジアルチルト駆動コイルとを含み、前記複数の液晶素子が、球面収差を補正する液晶素子及び非点収差を補正する液晶素子を含む構成を採用できる。この場合、コマ収差は、対物レンズをラジアルチルト方向へ駆動することで補正可能であり、球面収差及び非点収差は、２つの液晶素子のそれぞれによって補正可能である。
【００２２】
本発明の光学ヘッド装置は、上記本発明の対物レンズ駆動装置を備えることを特徴とする。
【発明の効果】
【００２３】
本発明の対物レンズ駆動装置及び光学ヘッドは、液晶素子と共に液晶駆動回路が可動部に搭載されるため、可動部と固定部との間の配線数の増加を抑えつつ、液晶素子によって収差を所望のレベルにまで低減でき、光ビームスポットの品質を向上して、光ディスク媒体の記録・再生特性を向上できる。
【発明を実施するための最良の形態】
【００２４】
以下、図面を参照し、本発明の実施形態例に基づいて、本発明を更に詳細に説明する。図1は、本発明の第１実施形態例の対物レンズ駆動装置を含む光学ヘッドを斜視図で示している。同図に示すように、光学ヘッド１００は、対物レンズ１０１、レンズホルダ１０２、磁石１１２、支持部材１１０、固定ブロック１１１、及び、ヨーク１１３を備える。光学ヘッド１００は、キャリッジ１１４に搭載され、スピンドルモータ１１５によって回転させられる光ディスク媒体のトラックに直交する方向に、ガイドレール１１６に沿って移動可能である。
【００２５】
対物レンズ１０１は、レンズホルダ１０２に装着され、図示しないレーザ光源からの光を集光し、光ディスク媒体の記録面に、光ビームスポットを形成する。ヨーク１１３は、キャリッジ１１４上に固定され、そのヨーク１１３には、磁石１１２及び固定ブロック１１１が取り付けられる。ヨーク１１３は、磁石１１２による磁界強度の分布効率を高める機能を有する。
【００２６】
支持部材１１０は、例えば、弾力性を有するサスペンションワイヤとして構成される。この支持部材１１０の一端は、レンズホルダ１０２に固定され、他端は、固定ブロック１１１に固定される。レンズホルダ１０２は、可動部分を構成し、６つの支持部材１１０により、固定ブロック１１１に対して、弾性的に片持ち支持される。支持部材１１０は、導電性を有しており、レンズホルダ１０２内の各部とレンズホルダ１０２外の固定部分との間を電気的に接続する。
【００２７】
図２は、光学ヘッド１００を、裏面側から見た展開斜視図で示し、図３は、光学ヘッド１００の一部を裏面側から見た斜視図で示している。レンズホルダ１０２のＹ方向の両側の側面には、それぞれ、フォーカシングコイル１０３及びトラッキングコイル１０４が形成されたシートコイル１０５ａ、１０５ｂが装着される。これらシートコイル１０５ａ、１０５ｂは、実装状態では、それぞれ、ヨーク１１３に取り付けられた磁石１１２と対向する。
【００２８】
磁石１１２は、４分割された領域を有する。磁石１１２は、上下左右方向に隣り合う２つの領域間では、シートコイル１０５ａ又は１０５ｂに対向する面の磁極が、相互に異なる向きとなるように取り付けられる。具体的には、例えば図２では、磁石１１２ａは、シートコイル１０５ａ又は１０５ｂと対向する面の極性がＮとなる向きに取り付けられ、磁石１１２ｂは、シートコイル１０５ａ又は１０５ｂと対向する面の極性がＳとなる向きに取り付けられる。
【００２９】
フォーカシングコイル１０３及びトラッキングコイル１０４は、それぞれ、フォーカシング駆動信号及びトラッキング駆動信号を入力し、入力した駆動信号に基づいた磁場を発生する。光学ヘッド１００では、磁石１１２ａ、１１２ｂによる磁場と、フォーカシングコイル１０３及びトラッキングコイル１０４による磁場とによって発生する推力により、レンズホルダ１０２が、フォーカシング方向及びトラッキング方向へそれぞれ駆動可能に構成される。これにより、レンズホルダ１０２は、光ディスク媒体の面振れ、偏心の各変動に対し、追従可能である。
【００３０】
図２に示すように、レンズホルダ１０２には、対物レンズ１０１の裏面側に、波長板１０９及び液晶素子１０６が装着される。液晶素子１０６は、液晶層と、それを両側から挟みこむ一対のガラス基板とを有している。ドライバＩＣ１０７は、例えばＦＰＣ（flexible printed circuit）として構成される接続基板１０８を介して電源や制御信号（制御データ）を入力する。ドライバＩＣ１０７は、液晶素子１０６に矩形波等の液晶駆動信号を印加して、液晶素子１０６を駆動する。光学ヘッド１００では、これらドライバＩＣ１０７及び接続基板１０８は、液晶素子１０６と共にレンズホルダ１０２に収容されている。
【００３１】
液晶素子１０６のガラス基板には、所望の形状にパターニングされた、複数の透明電極が形成され、液晶素子１０６には、複数のセグメントが形成される。液晶素子１０６のガラス基板上には、各セグメントに対応するパターンの透明電極が形成される。液晶素子１０６は、各セグメントの液晶の屈折率を制御することで、対物レンズ１０１によって光ディスク媒体の記憶面に照射される光ビームスポットの収差を補正する。ドライバＩＣ１０７は、複数の制御チャネルを有しており、液晶素子１０６の各セグメントを、互いに独立に制御可能である。
【００３２】
図４は、図３に示す液晶素子１０６を展開斜視図で示している。この例では、液晶素子１０６は、２つの液晶素子１０６ａ、１０６ｂからなる。２つの液晶素子のうちの一方（液晶素子１０６ａ）のガラス基板上の透明電極は、コマ収差を補正するような形状にパターニングされている。また、液晶素子の他方（液晶素子１０６ｂ）のガラス基板上の透明電極は、非点収差を補正するような形状にパターニングされている。ドライバＩＣ１０７は、ＣＯＧ（chip on glass）方式により、液晶素子１０６ａを構成するガラス基板上に搭載され、２つの液晶素子１０６ａ、１０６ｂの双方を駆動する。
【００３３】
図５は、フォーカシングコイル、トラッキングコイル、ドライバＩＣ、及び、液晶素子の電気的接続の様子を示している。フォーカシング（Ｆｃｓ）コイル１０３に供給されるフォーカシング駆動信号、トラッキング（Ｔｒｋ）コイル１０４に供給されるトラッキング駆動信号、ドライバＩＣ１０７に入力される制御データ（シリアルデータ）、及び、そのシリアルデータのためのシリアルクロックは、レンズホルダ１０２外の固定部分で生成され、これらは、導電性を有する支持部材１１０を介して、可動部を構成するレンズホルダ１０２内に入力される。
【００３４】
レンズホルダ１０２を支持する６つの支持部材１１０のうちの４つ（１１０（１）〜１１０（４））は、フォーカシングコイル１０３及びトラッキングコイル１０４に、それぞれフォーカシング駆動信号及びトラッキング駆動信号を入力するための配線（ドライブライン、リターンライン）として使用され、残りの２つ（１１０（５）、１１０（６））は、ドライバＩＣ１０７に電源を供給するための電源ラインとして使用される。
【００３５】
光学ヘッド１００では、ドライバＩＣ１０７に入力するシリアルデータは、トラッキング駆動信号に重畳され、トラッキングコイル１０４のドライブライン１１０（４）を介して、レンズホルダ１０２内に入力される。また、ドライバＩＣ１０７に入力するシリアルクロックは、フォーカシング駆動信号に重畳され、フォーカシングコイル１０３のドライブライン１１０（２）を介して、レンズホルダ１０２内に入力される。
【００３６】
ここで、フォーカシング駆動信号及びトラッキング駆動信号は、信号周波数が概ね１００ｋＨｚ以下の低周波信号として構成され、シリアルデータ及びシリアルクロックは、信号周波数が概ね１ＭＨｚ以上の高周波信号として構成される。このため、両者は、数１００ｋＨｚ以下又は以上の信号を通過させる低域通過フィルタ又は高域通過フィルタを用いることで、容易に分離できる。また、シリアルデータ及びシリアルクロックを、基準電位に対しバイアスが発生しないデューティー比５０％の矩形波信号で構成することにより、フォーカシング駆動信号又はトラッキング駆動信号にシリアルデータ及びシリアルクロックを重畳しても、オフセット等の影響は発生しない。
【００３７】
フォーカシングコイル１０３のドライブライン１１０（２）は、レンズホルダ１０２内で分岐され、ＬＰＦ（低域通過フィルタ）１１７を介してフォーカシングコイル１０３に接続され、キャパシタＣ１（高域通過フィルタ）、及び、図５では図示を省略した接続基板１０８を介してドライバＩＣ１０７に接続される。ＬＰＦ１１７は、フォーカシングコイル１０３のドライブライン１１０（２）に重畳されたフォーカシング駆動信号及びシリアルクロックのうち、フォーカシング駆動信号のみを通過させ、そのフォーカシング駆動信号をフォーカシングコイル１０３に供給する。キャパシタＣ１は、フォーカシングコイル１０３のドライブライン１１０（２）に重畳されたフォーカシング駆動信号及びシリアルクロックのうち、シリアルクロックのみを通過させ、そのシリアルクロックをドライバＩＣ１０７に入力する。
【００３８】
トラッキングコイル１０４のドライブライン１１０（４）は、レンズホルダ１０２内で分岐され、ＬＰＦ１１７を介してトラッキングコイル１０４に接続され、キャパシタＣ２及び接続基板１０８を介してドライバＩＣ１０７に接続される。ＬＰＦ１１７は、トラッキングコイル１０４のドライブライン１１０（４）に重畳されたトラッキング駆動信号及びシリアルデータのうち、トラッキング駆動信号のみを通過させ、そのトラッキング駆動信号をトラッキングコイル４に供給する。キャパシタＣ２は、トラッキングコイル１０４のドライブライン１１０（４）に重畳されたトラッキング駆動信号及びシリアルデータのうち、シリアルデータのみを通過させ、そのシリアルデータをドライバＩＣ１０７に入力する。
【００３９】
ドライバＩＣ１０７は、液晶素子１０６ａ、１０６ｂの各セグメントを制御するシリアルデータを時分割で入力し、入力したシリアルデータに基づいて、液晶素子１０６ａ、１０６ｂのガラス基板上の各透明電極に印加する電圧を制御する。光学ヘッド１００では、ドライバＩＣ１０７によって、液晶素子１０６ａ、１０６ｂの各セグメントの液晶の屈折率が制御されることにより、対物レンズ１０１には、液晶素子１０６ａでコマ収差が補正され、液晶素子１０６ｂで非点収差が補正された光ビームが入射される。
【００４０】
本実施形態例では、レンズホルダ１０２内に複数のセグメントが形成された液晶素子１０６と、その液晶素子１０６の各セグメントを駆動するドライバＩＣ１０７とを収容し、液晶素子１０６の各セグメントの屈折率を制御して、光ディスク媒体の記録面に形成される光ビームスポットに生じる収差を補正している。ドライバＩＣ１０７は、液晶素子１０６に形成された複数のセグメントを独立に制御可能である。このため、本実施形態例の対物レンズ駆動装置では、収差をきめ細かく補正することができ、光ディスク媒体の記録面に形成される光ビームスポットに残留する収差を、所望のレベルにまで低減できる。これにより、光ビームスポットの品質が向上し、光ディスク媒体に対する記録・再生が良好に行える。
【００４１】
図６（ａ）及び（ｂ）は、液晶素子１０６を用いて収差を補正したときの瞳径と光ビームスポットの収差との関係を示している。同図（ａ）は、液晶素子１０６に形成されるセグメントの数（セグメント分割数）が３の場合の瞳径と収差との関係を示しており、同図（ｂ）は、セグメント分割数が７の場合の瞳径と収差との関係を示している。同図（ａ）及び（ｂ）では、それぞれ、補正前の瞳径と収差との関係を点線で示している。同図（ａ）及び（ｂ）を参照すると、液晶素子１０６に形成された各セグメントの屈折率を制御することにより、補正前に比して、収差を低減できることがわかる。また、同図（ａ）と（ｂ）とを比較すると、セグメント分割数を多くし、液晶素子１０６に形成されたセグメントを各細分化させるほど、補正後に残留する収差が小さいことがわかる。
【００４２】
一般的には、セグメント分割数を大きくすると、それに伴って、レンズホルダ１０２内に収容された液晶素子１０６に入力する信号（データ）の数が増加し、レンズホルダ１０２と固定ブロック１１１との間の配線数を増加させる必要がある。本実施形態例では、ドライバＩＣ１０７に、液晶素子１０６の各セグメントを制御するためのシリアルデータを時分割で入力している。また、そのシリアルデータと、シリアルクロックとを、フォーカシングコイル１０３及びトラッキングコイル１０４をそれぞれ駆動するフォーカシング駆動信号及びトラッキング駆動信号に重畳させて、レンズホルダ１０２内のドライバＩＣ１０７に入力している。本実施形態例では、このような構成を採用することにより、液晶素子１０６に形成するセグメント数を増加させても、固定ブロック１１１とレンズホルダ１０２との間の配線を構成する支持部材１１０の数を増加させる必要がない。
【００４３】
本実施形態例では、液晶素子１０６は、コマ収差を補正するための液晶素子１０６ａと非点収差を補正するための液晶素子１０６ｂとから成る。このように、互いに異なる収差を補正するための複数の液晶素子をレンズホルダ１０２内に収容すると、光ビームスポットに生じる各種の収差をそれぞれ補正することができ、光ビームスポットの品質を更に向上できる。また、このとき、複数の液晶素子を、共通のドライバＩＣ１０７によって駆動することで、レンズホルダ１０２内に収容する液晶素子数を増加させても、固定ブロック１１１とレンズホルダ１０２との間の配線を構成する支持部材１１０の数を増加させる必要がない。
【００４４】
図７は、本発明の第２実施形態例の対物レンズ駆動装置における各部の電気的接続の様子を示している。本実施形態例の対物レンズ駆動装置は、図５に示す構成に、ラジアルチルト駆動コイル１１８が追加された構成を有する。ラジアルチルト駆動コイル１１８は、レンズホルダ１０２に装着される。レンズホルダ１０２は、８つの支持部材１１０により、固定ブロック１１１に片持ち支持される。ラジアルチルト駆動コイル１１８は、そのドライブライン１１０（７）とリターンライン１１０（８）とによって、ラジアルチルト駆動信号が入力される。
【００４５】
本実施形態例では、レンズホルダ１０２が、フォーカシング方向及びトラッキング方向に加え、ラジアルチルト方向に駆動可能に構成され、このラジアルチルト方向の駆動により、光ビームスポットに生じるコマ収差が補正可能である。従って、液晶素子１０６を、非点収差を補正するための液晶素子と、球面収差を補正するための液晶素子として構成することで、対物レンズ駆動装置によって、コマ収差、非点収差、及び、球面収差の３つの収差が補正可能となる。その他の効果については、第１実施形態例と同様である。
【００４６】
なお、上記実施形態例では、フォーカシングコイル１０３、トラッキングコイル１０４、及び、ラジアルチルト駆動コイル１１８の各コイルを駆動するリターンラインがそれぞれ独立に設けられていたが、各コイルのリターンラインを共通化することもできる。例えば、図７において、フォーカシングコイル１０３、トラッキングコイル１０４、及び、ラジアルチルト駆動コイル１１８の３つのコイルのリターンライン（１１０（１）、１１０（３）、１１０（７））を、共通の支持部材で構成し、図８に示すように、各コイルのドライブライン（１１０（１）、１１０（２）、１１０（３））と、共通のリターンライン１１０（４）とによって、各コイルの駆動信号を入力する構成とすることもできる。この場合には、３つのコイルを、４つの支持部材１１０で駆動でき、図７では、計８つが必要であった支持部材１１０の数を、計６つに減らすことができる。
【００４７】
上記実施形態例では、フォーカシング制御信号にシリアルクロックを重畳し、トラッキング制御信号にシリアルデータを重畳する例について示したが、この組合せは、適宜変更可能である。例えばレンズホルダ１０２にラジアルチルト駆動コイル１１８が装着される場合には、シリアルクロックをトラッキング制御信号に、シリアルデータをラジアルチルト駆動信号に重畳させることもできる。また、シリアルクロック及びシリアルデータを他の信号に重畳させずに、図９に示すように、シリアルクロック及びシリアルデータを、ドライバＩＣ１０７に直接に入力する構成を採用することもできる。
【００４８】
上記実施形態例では、支持部材１１０がサスペンションワイヤとして構成される例を示したが、支持部材１１０は、導電性を有し、レンズホルダ１０２を弾性的に支持するものであればこれには限定されない。例えば、支持部材１１０として、板バネ等のヒンジを採用することもできる。上記実施形態例では、ドライバＩＣ１０７が液晶素子１０６ａのガラス基板上にＣＯＧ方式で搭載される例について示したが、これには限定されない。ドライバＩＣ１０７を、レンズホルダ１０２と一体となって駆動される部分、例えば、接続基板１０８上に搭載する構成を採用することもできる。また、接続基板１０８は、ＦＰＣには限定されない。フォーカシングコイル１０３、トラッキングコイル１０４、及び、ラジアルチルトコイル１１８は、シートコイルとして構成することができるほか、通常の巻き線コイルとして構成することもできる。
【００４９】
光ディスク装置が、例えばＣＤ（Compact Disc）やＤＶＤ（Digital Versatile Disc）、ＨＤＤＶＤ（High Definition ＤＶＤ）といった種々の規格に対する装置として構成される場合、互いに異なる複数の波長又は開口数に対応可能とするための機構が必要となる。そのような場合には、波長板１０９（図２）に開口制限機能を付加し、或いは、対物レンズ１０１の裏面側に波長板１０９とは別に開口制限機能を有する光学部材を追加して、各種の光ディスク媒体に対応可能とすればよい。また、液晶素子１０６と波長板１０９とは、一体に構成することもできる。
【００５０】
以上、本発明をその好適な実施形態例に基づいて説明したが、本発明の対物レンズ駆動装置は、上記実施形態例にのみ限定されるものではなく、上記実施形態例の構成から種々の修正及び変更を施したものも、本発明の範囲に含まれる。
【図面の簡単な説明】
【００５１】
【図１】本発明の第１実施形態例の対物レンズ駆動装置を含む光学ヘッドを示す斜視図。
【図２】図１に示す光学ヘッドを裏面側から示す展開斜視図。
【図３】図２に示す光学ヘッドの一部を裏面側から示す斜視図。
【図４】図３に示す液晶素子１０６の構成を示す展開斜視図。
【図５】対物レンズ駆動装置の各部の電気的接続の様子を示す回路図。
【図６】（ａ）及び（ｂ）は、液晶素子を用いて収差を補正したときの瞳径と光ビームスポットの収差との関係を示すグラフ。
【図７】本発明の第２実施形態例の対物レンズ駆動装置の各部の電気的接続の様子を示す回路図。
【図８】本発明の第２実施形態例の変形例の対物レンズ駆動装置における各部の電気的接続の様子を示す回路図。
【図９】本発明の第１実施形態例の変形例の対物レンズ駆動装置における各部の電気的接続の様子を示す回路図。
【図１０】特許文献１に記載の光学ヘッドの構成を示す断面図。
【図１１】特許文献２に記載の対物レンズ駆動装置の構成を示す斜視図。
【図１２】特許文献２に記載の対物レンズ駆動装置の各部の電気的接続状態を示す回路図。
【符号の説明】
【００５２】
１００：光学ヘッド
１０１：対物レンズ
１０２：レンズホルダ
１０３：フォーカシングコイル
１０４：トラッキングコイル
１０５：シートコイル
１０６：液晶素子
１０７：ドライバＩＣ
１０８：接続基板
１０９：波長板
１１０：支持部材
１１１：固定ブロック
１１２：磁石
１１３：ヨーク
１１４：光学ヘッド
１１５：スピンドルモータ
１１６：ガイドレール
１１７：ＬＰＦ
１１８：ラジアルチルト駆動コイル
【図１】
2005353208.tif 000003
【図２】
2005353208.tif 000004
【図３】
2005353208.tif 000005
【図４】
2005353208.tif 000006
【図５】
2005353208.tif 000007
【図６】
2005353208.tif 000008
【図７】
2005353208.tif 000009
【図８】
2005353208.tif 000010
【図９】
2005353208.tif 000011
【図１０】
2005353208.tif 000012
【図１１】
2005353208.tif 000013
【図１２】
2005353208.tif 000014